(57)【要約】【課題】かご上タラップを作業台としても使用可能にすることで作業効率を向上させる。【解決手段】エレベータのかご上において作業員が上梁１８を乗り越えて向こう側へ移動するときに使用されるがご上タラップ３０であって、上梁１８に上部が固定される第１タラップ部３１と、第１タラップ部３１の下部に回動可能に連結される第２タラップ部３２とを備え、第１および第２タラップ部３１，３２は、それぞれ、横方向両側に配置される一対のタラップ支持部材３１ａ，３１ｂ，３２ａ，３２ｂと、この一対のタラップ支持部間に掛け渡されている足掛け棒３３ａ，３３ｂとを含み、さらに、略水平方向に沿う姿勢まで第２タラップ部を回動させた状態で保持する保持部材４０と、この状態で第２タラップ部３２のタラップ支持部材３２ａ，３２ｂ間の空間を塞ぐために第２タラップ部３２に設けられている天板４４と、を備える。【選択図】図５
2012184084.tif 000002
【特許請求の範囲】
【請求項１】
エレベータのかご上においてかご支持フレームの上梁を作業員が乗り越えて向こう側へ移動するときに使用されるがご上タラップであって、
前記上梁に上部が固定される第１タラップ部と、この第１タラップ部の下部に回動可能に連結される第２タラップ部とを備え、前記第１および第２タラップ部は、それぞれ、横方向両側に配置される一対のタラップ支持部と、この一対のタラップ支持部間に掛け渡されている足掛け部とを含んでおり、
さらに、前記第１タラップ部に対して略水平方向に沿う姿勢まで前記第２タラップ部を回動させた状態で保持する保持部材と、略水平方向に沿う姿勢で保持された前記第２タラップ部のタラップ支持部間の空間を塞ぐために前記第２タラップ部に設けられている天板と、を備える、
かご上タラップ。
【請求項２】
請求項１に記載のかご上タラップにおいて、
前記第２タラップ部は、前記第１タラップ部に対して、共通の１本の足掛け部によって回動可能に軸支されていることを特徴とする、かご上タラップ。
【請求項３】
請求項１または２に記載のかご上タラップにおいて、
前記第１タラップ部には、前記略水平方向に沿う姿勢への回動方向とは反対方向に前記第２タラップ部が回動しないようにするストッパが設けられていることを特徴とする、かご上タラップ。
【請求項４】
請求項１〜３のいずれか一項に記載のかご上タラップにおいて、
前記天板は、前記第２タラップ部の下部に設けられた足掛け部にリング要素によって回動可能に吊り下げられている、ことを特徴とする、かご上タラップ。
【請求項５】
請求項１〜４のいずれか一項に記載のかご上タラップにおいて、
前記天板には、蓋付きポケット部が設けられていることを特徴とする、かご上タラップ。
【発明の詳細な説明】
【技術分野】
【０００１】
本発明は、エレベータの乗りかご上に設置されるかご上タラップに関する。
【背景技術】
【０００２】
従来、エレベータの乗りかごの上に取り付けてある機器や昇降路内に配置された機器の点検、交換および保守などの作業をかご上で行う場合、作業員は、乗りかごを支持するフレームの一部である上梁を乗り越えて、かご上を移動しながら上記作業を行う必要がある。この上梁は、乗りかごの上面から高さが例えば約１ｍ以上あるものがあり、足掛けがないと作業員が上梁を乗り越えるのが困難であり、また、乗り越え時にバランスをくずす危険性もある。そのため、乗りかごの上には、作業員が上梁を乗り越えるときに使用されるかご上タラップが設置されることがある。
【０００３】
例えば、特開２００２−８７７３８号公報（特許文献１）には、かご上梁を安全且つ容易に乗り越えることのできるエレベータのかご上タラップが開示されている。このかご上タラップは、エレベータのかご上梁部に主ロープを巻き掛けるプーリが配置され、かご上梁部を乗り越えるエレベータのかご上タラップにおいて、かご上梁の下方に所定間隔に数本配設される足掛け部と、かご上梁の上方に所定寸法突出する左右の手掛け部と、かご上梁の上面及び下面のいずれか一方に手掛け部を支持する支持部とを備え、足掛け部及び手掛け部の支持位置は、プーリの左右いずれかより所定寸法隔離した位置とし、かご上梁の前後対向するように配置しかご上梁の前後対向位置に支持された手掛け部の上端をそれぞれ接続する水平手掛け部を備えることにより、かご上梁を安全且つ容易に乗り越えることができる、と記載されている。
【先行技術文献】
【特許文献】
【０００４】
【特許文献１】特開２００２−８７７３８号公報
【発明の概要】
【発明が解決しようとする課題】
【０００５】
ところで、かご上において作業員が点検、交換および保守などの作業を行うとき、取り外した機器や部品を一時的に置いて清掃、修理等を行うための作業台があると好都合である。しかしながら、かご上の面積は限られていて、設置される機器等の関係から作業台を置くスペースを特別に確保することが難しいことが多い。また、かご上に作業台を移動可能な状態で収納保管しておくことは安全性の観点から問題がある。
【０００６】
本発明の目的は、乗りかご上に設置されるかご上タラップを作業台としても使用可能にすることで作業効率を向上させることができる、かご上タラップを提供することにある。
【課題を解決するための手段】
【０００７】
本発明に係るかご上タラップは、エレベータのかご上においてかご支持フレームの上梁を作業員が乗り越えて向こう側へ移動するときに使用されるがご上タラップであって、前記上梁に上部が固定される第１タラップ部と、この第１タラップ部の下部に回動可能に連結される第２タラップ部とを備え、前記第１および第２タラップ部は、それぞれ、横方向両側に配置される一対のタラップ支持部と、この一対のタラップ支持部間に掛け渡されている足掛け部とを含んでおり、さらに、前記第１タラップ部に対して略水平方向に沿う姿勢まで前記第２タラップ部を回動させた状態で保持する保持部材と、略水平方向に沿う姿勢で保持された前記第２タラップ部のタラップ支持部間の空間を塞ぐために前記第２タラップ部に設けられている天板と、を備える。
【０００８】
本発明に係るかご上タラップにおいて、前記第２タラップ部は、前記第１タラップ部に対して、共通の１本の足掛け部によって回動可能に軸支されていてもよい。
【０００９】
また、本発明に係るかご上タラップにおいて、前記第１タラップ部には、前記略水平方向に沿う姿勢への回動方向とは反対方向に前記第２タラップ部が回動しないようにするストッパが設けられていてもよい。
【００１０】
また、本発明に係るかご上タラップにおいて、前記天板は、前記第２タラップ部の下部に設けられた足掛け部にリング要素によって回動可能に吊り下げられていてもよい。
【００１１】
さらに、本発明に係るかご上タラップにおいて、前記天板には、蓋付きポケット部が設けられていてもよい。
【発明の効果】
【００１２】
本発明に係るかご上タラップによれば、第２タラップ部を第１タラップ部に対して略水平方向へ沿った姿勢に回動させてからその姿勢を保持部材により保持させ、そして、第２タラップ部のタラップ支持部間の空間を第２タラップ部に設けられている天板で塞ぐことにより、この天板の上面を作業台として使用することができ、かご上での作業効率を向上させることができる。また、移動可能な作業台を狭いかご上スペースに収納、保管しておく必要がなく、しかも、かご上から作業台が転落するおそれもない。
【図面の簡単な説明】
【００１３】
【図１】本発明の一実施形態のかご上タラップが適用されるエレベータの乗りかごの正面図である。
【図２】本実施形態のかご上タラップの正面図である。
【図３】本実施形態のかご上タラップの側面図である。
【図４】本実施形態のかご上タラップを作業台に変更する様子を説明するための側面図である。
【図５】本実施形態のかご上タラップを作業台とした様子を示す斜視図である。
【図６】作業台となる天板に設けられた蓋付きポケット部を示す部分断面図である。
【発明を実施するための形態】
【００１４】
以下に、本発明に係る実施の形態（以下、実施形態という）について添付図面を参照しながら詳細に説明する。この説明において、具体的な形状、材料、数値、方向等は、本発明の理解を容易にするための例示であって、用途、目的、仕様等にあわせて適宜変更することができる。
【００１５】
図１は、本実施形態のかご上タラップ３０が適用されるエレベータの乗りかご１０の正面図である。乗りかご１０は、金属製の矩形筐体からなり、各階床の乗場で停止した乗りかごに利用者が乗り降りするためのかご扉１２が設置されている。かご扉１２は、両開き式のものであってもよいし、片開き式のものであってよい。
【００１６】
また、乗りがご１０は、略ロ字状のかご支持フレーム１４によって支持されている。かご支持フレーム１４は、長尺鋼材を溶接等で連結することよって形成されている。かご支持フレーム１４は、下梁１６、上梁１８、および２本の側柱２０を含んで構成される。乗りかご１０は、かご支持フレーム１４の下梁１６上に固定されている。
【００１７】
さらに、乗りかご１０は、制御ケーブル２２が接続されている。制御ケーブル２２は、かご扉１２を開閉作動させるモータ、乗りかご１０内の操作パネルおよび照明等に電力を供給するとともに、乗りかご１０から行き先階の指示や異常呼び出し等の信号を送出するための電気ケーブルであり、図示しないエレベータ制御盤に接続されている。
【００１８】
かご支持フレーム１４の上梁１８には、複数のワイヤロープ２４がロープジャックル２６を介して連結されている。これらのワイヤロープ２４によってかご支持フレーム１４が昇降路内において吊り下げ支持されており、これによりワイヤロープ２４が巻上げまたは巻き降ろしされることによって乗りかご１０が昇降路内を昇降移動するようになっている。
【００１９】
ワイヤロープ２４が上端に連結されているロープジャックル２６は、かご支持フレーム１４の上梁１８を貫通して下方に伸びており、その下端部周囲に配置されたコイルバネ２８を介して上梁１８に間接的に連結されている。これにより、乗りかご１０又はワイヤロープ２４に加わった衝撃を上記コイルバネ２８によって吸収するようにされている。
【００２０】
なお、乗りかご１０の上には、保守点検等の作業を行う際の安全性確保のための安全柵が設けられていることがあるが、図示が省略されている。
【００２１】
乗りかご１０の上には、かご上タラップ３０が設置されている。かご上タラップ３０は、乗りかご１０の上で保守点検等の作業を行う作業員が上梁１８を乗り越えて向こう側へ移動するときに使用される踏み段またはステップである。乗りかご１０の上面１１からの上梁１８の高ｈさは、例えば１ｍ程度あるいはそれ以上あることがある。
【００２２】
図２はかご上タラップ３０の拡大正面図であり、図３はかご上タラップ３０の拡大側面図である。図３では、かご上タラップ３０が上梁１８から鉛直下方に延伸する例が示されているが、前方側（すなわち上梁と反対側）に傾斜して延伸するよう構成してもよい。
【００２３】
かご上タラップ３０は、第１タラップ部３１と、第２タラップ部３２とを備える。第２タラップ部３２は、第１タラップ部３１の下部に回動可能に連結されている。かご上タラップ３０は、上梁１８の両側にそれぞれ設置されている。
【００２４】
第１タラップ部３１は、横方向両側に配置される一対のタラップ支持部材（タラップ支持部）３１ａ，３１ｂと、一対のタラップ支持部材３１ａ，３１ｂ間に掛け渡されている足掛け棒（足掛け部）３３ａとを含む。また、第２タラップ部３２は、横方向両側に配置される一対のタラップ支持部材（タラップ支持部）３２ａ，３２ｂと、一対のタラップ支持部材３２ａ，３２ｂ間に掛け渡されている足掛け棒（足掛け部）３３ｂとを含む。
【００２５】
ここで、かご支持フレーム１４の上梁１８は、２本のロープジャックル２６が通る程度の間隔をおいて配置された、略コ字状の端面および横断面を有する２本の長尺鋼材１８ａと、これらの長尺鋼材１８ａの下面に溶接等で固定された平板状の鋼板１８ｂとで構成されている。ロープジャックル２６は、鋼板１８ｂを貫通孔を通って下方に延伸しており、下端部のフランジ部２７と鋼板１８ｂの下面との間に上記コイルバネ２８が配置されている。
【００２６】
第１タラップ部３１のタラップ支持部材３１ａ，３１ｂ（および第２タラップ部３２のタラップ支持部材３２ａ，３２ｂ）は、例えばアルミ合金等からなる扁平角形パイプによって構成される。タラップ支持部材３１ａ，３１ｂは、略Ｌ字状に曲げられた形状を有しており、上端部が上梁１８の長尺鋼材１８ａ上にボルトおよびナット３４で締結されている。これにより、かご上タラップ３０が上梁１８に対して固定されている。
【００２７】
第１タラップ部３１に含まれる足掛け棒３３ａは、一対のタラップ支持部材３１ａ，３１ｂの下端部に略水平方向に沿って配置されている。足掛け棒３３ａ，３３ｂは、例えばアルミ合金製の中実または中空状の丸棒材によって形成されている。また、足掛け棒３３ａの両端は、一対のタラップ支持部材３１ａ，３１ｂを貫通して外側へそれぞれ突出している。そして、これらの突出部に第２タラップ部３２の一対のタラップ支持部材３２ａ，３２ｂの両端部が固定されている。
【００２８】
上記足掛け棒３３ａは、第１タラップ部３１を構成するタラップ支持部材３１ａ，３１ｂに対しては回動可能に設けられており、第２タラップ部３２を構成するタラップ支持部材３２ａ，３２ｂに対しては固定されている。これにより、第２タラップ部３２は、第１タラップ部３１に対して、共通の１本の足掛け棒３３ａによって回動可能に軸支されている。
【００２９】
なお、上記とは逆に、足掛け棒３３ａが、第１タラップ部３１のタラップ支持部材３１ａ，３１ｂに対して回転不能に固定され、第２タラップ部３２のタラップ支持部材３２ａ，３２ｂに対して回動可能になっていてもよい。
【００３０】
第１タラップ部３１のタラップ支持部材３１ａ，３１ｂの前面（すなわち上梁１８とは反対側の面）であって足掛け棒３３ａより上に位置には、ストッパ３６がそれぞれ固定されている。ストッパ３６は、例えばタラップ支持部材と同じ材料からなる金属平板によって構成されることができ、外側へ突出した状態で溶接等によって固定されている。
【００３１】
このストッパ３６は、第１タラップ部３１に対して第２タラップ部３２が一方向にのみ回動するようにするものである。すなわち、第２タラップ部３２は、第１タラップ部３１に対して、前方側（図３中の矢印Ａ方向）へ回動することはできるが、後方側へ回動しようとすると回転支軸である足掛け棒３３ａの上方でストッパ３６が第２タラップ部３２のタラップ支持部材３２ａ，３２ｂの上端部に当接するため回動することが阻止される。これにより、作業者がかご上タラップ３０を使用する際に前方側から第２タラップ部３２の足掛け棒３３ｂに足を掛けたときにも第２タラップ部３２が第１タラップ部３１に対して回動することなく直線状に維持され、タラップとしての使用の安定性を確保することができる。
【００３２】
また、第１タラップ部３１のタラップ支持部材３１ａ，３１ｂの外側面には、後述する保持部材が係合される係合スタッド３８がそれぞれ突設されている。
【００３３】
上記のように第２タラップ部３２は、第１タラップ部３１の足掛け棒３３ａによって一方向へだけ回動可能に吊り下げられている。上記足掛け棒３３ｂは、第２タラップ部の一対のタラップ支持部材３２ａ，３２ｂの下部において略水平方向に沿って配置されている。また、足掛け棒３３ｂは、第１タラップ部３１の足掛け棒３３ａから下方へ例えば数十センチメートル程度に離れて位置し、乗りかご１０の上面１１から上方へ同程度の距離だけ離れて位置している。
【００３４】
第２タラップ部３２のタラップ支持部材３２ａ，３２ｂの外側面には、例えばアルミ合金製の板材からなる保持部材４０がそれぞれ設けられている。保持部材４０は、その上端部がタラップ支持部材３２ａ，３２ｂに対して回動可能に軸支されており、その下端部に上記係合スタッド３８と係合可能なフック部４１を有している。
【００３５】
また、第２タラップ部３２には、天板４４が設けられている。天板４４は、第２タラップ部３２の足掛け棒３３ｂに例えば２つのリング要素４２によって回動可能に吊り下げられている。天板４４は、例えば樹脂製、金属製、あるいは木製の平板によって形成されることができる。天板４４の角部には、後述するように天板４４を作業台として使用する際に回動させたときに第１タラップ部３１のタラップ支持部材３１ａ，３１ｂの下端部を逃げるための矩形状の切欠部４５が形成されている。
【００３６】
続いて、上記構成からなるかご上タラップの使い方について、図４および５も参照して説明する。図４は、かご上タラップ３０を作業台に変更する様子を説明するための側面図であり、図５は、かご上タラップ３０を作業台とした状態を示す斜視図である。
【００３７】
乗りかご１０の上で保守点検等の作業を行う作業員が上梁１８を乗り越えて向こう側へ移動しようとするとき、まず第２タラップ部３２の足掛け棒３３ｂに一方の足を掛け、次いで第１タラップ部３１の足掛け棒３３ａに他方の足を掛けて、上梁１８の上に安全に上ることができる。そして、反対側のかご上タラップ３０を使用して、乗りかご１０の上面へと安全に降りることができる。このとき、第２タラップ部３２は第１タラップ部３１に対して後方側へは回動しないようストッパ３６が設けられているため、タラップとしての機能を安定して果たすことができる。
【００３８】
他方、乗りかご１０の上において作業員は、保守点検作業中に取り外した機器や部品を一時的に置いて清掃、修理等を行うための作業台があると好都合であると判断したとき、次のようにしてかご上タラップ３０を作業台に変形させる。
【００３９】
まず、第２タラップ部３２を第１タラップ部３１に対して前方側（図３中の矢印Ａ方向）へ回動させて、第２タラップ部３２が略水平方向に沿った姿勢にまで持ち上げる。そして、保持部材４０を上方へ回動させてフック部４１を第１タラップ部３１の係合スタッド３８に引っ掛ける。これにより、図４に示すように、第２タラップ部３２を略水平方向に沿った状態に保持することができる。
【００４０】
そして、リング要素４２によって第２タラップ部３２に吊り下げられた天板４４を、足掛け棒３３ｂを中心に上方へ回動させて、第２タラップ部３２の一対のタラップ支持部材３２ａ，３２ｂ間に形成される空間４６（図２参照）を略隙間なく完全に又は略全体を塞ぐ。このとき、天板４４は、切欠部４５を形成した側の先端縁部が第１タラップ部３１の足掛け棒３３ａ上に載ることで支持される。
【００４１】
このようにして本実施形態のかご上タラップ３０は、図５に示すように、天板４４の上を作業台として使用することができる。したがって、作業スペースが限られた狭いかご上での作業効率を大幅に向上させることができる。
【００４２】
また、本実施形態のかご上タラップ３０は、上梁１８に固設されているものであるため、乗りかご１０から落下するおそれもなく、しかも、乗りかご１０上での作業効率向上のために特別な作業台を狭いかご上スペースに収納、保管しておく必要もない。
【００４３】
さらに、乗りかご１０上にいる作業員が手動操作で乗りかご１０の昇降を行うとき、図５に示すようにした天板４４および第２タラップ部３２に腰掛けることもできる。このように椅子として使用することもできので、乗りかご１０上での保守点検作業をより安全なものにできる。
【００４４】
さらにまた、図５に示すようにかご上タラップ３０の第２タラップ部３２を略水平状態に保持することで、乗りかご１０の上面１１上であって上梁１８の下方のスペースに設置されている機器（例えば、かご内空調機器等）への作業員のアクセスが容易となり、このことによっても作業効率の向上が図れる。
【００４５】
なお、上記において本実施形態のかご上タラップ３０について説明してきたが、本発明に係るかご上タラップは上記の構成に限定されるものではなく、種々の変更や改良が可能である。
【００４６】
例えば、図５に示すように、天板４４に蓋付きポケット部４８を設けてもよい。蓋付きポケット部４８は、図６に示すように、天板４４の上面に例えば軸支等の方法によって開閉可能に設けられた蓋５０と、蓋５０を閉じた状態に保持する例えばマグネットシート、ファスナー等の保持手段５２と、天板４４の裏面に貼着されたポケット空間形成部材５４とにより構成される。このような蓋付きポケット部４８を設ければ、かご上タラップ３０を作業台として使用するときに、取り外したボルト、ナット、比較的小さい部品等を確実に収納しておくことができ、落下による紛失等を避けて作業効率のより一層の向上に寄与することができる。
【００４７】
また、上記においては、第２タラップ部３２が乗りかご１０の上面１１から離れて吊り下げられているものとして説明したが、第２タラップ部の下部に第３タラップ部を回動可能に連結し、第３タラップ部の下端が乗りかごの上面に当接して支持されるように構成してもよい。
【００４８】
また、上記においては、かご上タラップを上梁の両側に設けるものとして説明したが、いずれか一方にのみ作業台兼用のかご上タラップを設置して他方をタラップ専用のものとしてもよい。
【００４９】
さらに、上記においては、２本の足掛け棒３３ａ，３３ｂが含まれるかご上タラップ３０について説明したが、本発明は３つ以上の足掛け部が含まれるかご上タラップに適用することもできる。
【符号の説明】
【００５０】
１０  乗りかご、１１  上面、１２  かご扉、１４  支持フレーム、１６  下梁、１８  上梁、１８ａ  長尺鋼材、１８ｂ  鋼板、２０  側柱、２２  制御ケーブル、２４  ワイヤロープ、２６  ロープジャックル、２７  フランジ部、２８  コイルバネ、３０  かご上タラップ、３１  第１タラップ部、３１ａ，３１ｂ  タラップ支持部材、３２  第２タラップ部、３２ａ，３２ｂ  タラップ支持部材、３３ａ，３３ｂ  足掛け棒、３４  ボルトおよびナット、３６  ストッパ、３８  係合スタッド、４０  保持部材、４１  フック部、４２  リング要素、４４  天板、４５  切欠部、４６  空間、４８  ポケット部、５０  蓋、５２  保持手段、５４  ポケット空間形成部材。
【図１】
2012184084.tif 000003
【図２】
2012184084.tif 000004
【図３】
2012184084.tif 000005
【図４】
2012184084.tif 000006
【図５】
2012184084.tif 000007
【図６】
2012184084.tif 000008